(57)【要約】【目的】組付け作業を簡素化し、正確な組付けが容易にできる石油燃焼器の芯内筒の構造に関する。【構成】油タンク１の底板１ａから連続する芯内筒２と、油タンク１の上面板１ｂから連続する芯外筒３とで構成する芯収容筒４を設け、芯内筒２と芯外筒３との間隙に芯５を上下動自在に装着し、芯内筒２の上面には燃焼筒Ａを載置する芯内筒天板６を取付ける。芯内筒２の上面に設けた開口２ｂの中央には上面板２ｃを形成し、芯内筒天板６の上面に設けた開口６ｂの中央には芯内筒２の上面板２ｃとほぼ同じ外径をもつ固定板６ｃを形成し、該固定板６ｃの外縁から下方に向けて形成した複数個のガイド６ｄが芯内筒２の上面板２ｃの外縁に当接して芯内筒天板６を芯内筒２の中心に位置決めしており、芯内筒２と芯内筒天板６は位置決めされた状態で上面板２ｃと固定板６ｃの中央でネジ止めして固定したものである。【選択図】          図１
2004301443.tif 000002
【特許請求の範囲】
【請求項１】
油タンク１の底板１ａから連続する芯内筒２と、油タンク１の上面板１ｂから連続する芯外筒３とで構成する芯収容筒４を設け、芯内筒２と芯外筒３との間隙に芯５を上下動自在に装着し、
かつ、芯内筒２の上部には直径を下部より細くする段部２ａを設け、該芯内筒２の上面には芯内筒２とほぼ同じ外径をもつ芯内筒天板６を設け、該芯内筒天板６の外周には内炎筒７と外炎筒８と外筒９とで構成する燃焼筒Ａを載置する受部６ａを芯内筒２の段部２ａに沿って形成し、
かつ、芯内筒２及び芯内筒天板６の上面には芯内筒２の内部空間を通過する空気を燃焼筒Ａに供給する開口２ｂ・６ｂを備えた石油燃焼器において、
前記芯内筒２の上面中央には周囲に開口２ｂを残しながら上面板２ｃを形成すると共に、
前記芯内筒天板６の上面中央には周囲に開口６ｂを残しながら上面板２ｃと係合する固定板６ｃを形成し、該固定板６ｃには外縁から上面板２ｃの周囲を囲むように下方に向けて複数個のガイド６ｄを形成し、
該ガイド６ｄが上面板２ｃの外縁に当接して芯内筒天板６を位置決めし、芯内筒２と芯内筒天板６とは上面板２ｃと固定板６ｃの中央でネジ止めして固定していることを特徴とする石油燃焼器の芯内筒の構造。
【請求項２】
前記芯内筒２と芯内筒天板６は芯内筒天板６の取り付け時に受部６ａが芯内筒２の段部２ａに接触し、固定板６ｃが上面板２ｃに接触しない位置関係にあり、固定板６ｃはネジ止め時に上面板２ｃに密着してなる請求項１記載の石油燃焼器の芯内筒の構造。
【請求項３】
前記上面板２ｃは芯内筒２の上面よりも低い位置もしくは高い位置に形成し、固定板６ｃは芯内筒天板６の上面よりも低い位置もしくは高い位置に形成したことを特徴とする請求項１記載の石油燃焼器の芯内筒の構造。
【発明の詳細な説明】
【０００１】
【産業上の利用分野】
この発明は、組付けが容易になり、かつ、燃焼を安定して行える石油燃焼器の芯内筒天板の取り付け構造に関するものである。
【０００２】
【従来の技術】
石油燃焼器の芯内筒は一般的に油タンクの底板から連続して円筒状に立設したものであり、その上面には上部の直径が下部よりも細くなる段部が形成され、また、芯内筒の上面に取り付けた芯内筒天板には芯内筒の段部に沿った受部を形成しており、この受部に燃焼筒が載置してある。
【０００３】
また、芯内筒と芯内筒天板の上面には芯内筒の内部と燃焼筒の内部とを連通する開口が設けてあり、芯内筒の内部を上昇する空気が開口を通過して燃焼筒へ供給されて燃焼が行われている。
【０００４】
ところで、芯内筒天板を芯内筒に固定する方法として、従来では芯内筒天板に複数個のツメを設け、このツメのカシメによって固定したり、芯内筒天板と芯内筒とを複数箇所でネジ止めしているものが一般的であった。
【０００５】
上記の構造において、芯内筒天板が傾いて取り付けられたり、偏心して取り付けられたりすると、芯内筒の内部から燃焼筒へ供給される空気量にバラツキが生じ、燃焼筒の空気量の多い部分に炎が偏って立炎したり、空気量の少ない部分では不完全燃焼を起こして悪臭の原因となることがあるので、芯内筒天板は正確に取り付ける必要がある。
【０００６】
【発明が解決しようとする課題】
しかし、芯内筒天板を芯内筒にカシメ固定するものでは、専用の工具を使ってツメを１箇所ずつ順番にカシメる為、カシメ強度にバラツキが生じやすく、芯内筒天板が偏心したり傾いて取り付けられることがある。また、作業中に芯内筒天板を変形させたり、カシメ強度が不十分で簡単に外れてしまう恐れがあり、作業者の熟練を要し、コストアップにつながる要因となっていた。
【０００７】
一方、芯内筒天板と芯内筒とを複数箇所でネジ止めする方法は、カシメ加工に比べて作業性は良いものの、複数箇所でネジ止めを行うので、ネジ止め強度にバラツキが生じて芯内筒天板が傾いて固定されることがある。また、部品点数が増加してコストアップにつながるものであった。
【０００８】
【課題を解決するための手段】
この発明は上記課題を解決するもので、油タンク１の底板１ａから連続する芯内筒２と、油タンク１の上面板１ｂから連続する芯外筒３とで構成する芯収容筒４を設け、芯内筒２と芯外筒３との間隙に芯５を上下動自在に装着し、かつ、芯内筒２の上部には直径を下部より細くする段部２ａを設け、該芯内筒２の上面には芯内筒２とほぼ同じ外径をもつ芯内筒天板６を設け、該芯内筒天板６の外周には内炎筒７と外炎筒８と外筒９とで構成する燃焼筒Ａを載置する受部６ａを芯内筒２の段部２ａに沿って形成し、かつ、芯内筒２及び芯内筒天板６の上面には芯内筒２の内部空間を通過する空気を燃焼筒Ａに供給する開口２ｂ・６ｂを備えた石油燃焼器において、前記芯内筒２の上面中央には周囲に開口２ｂを残しながら上面板２ｃを形成すると共に、前記芯内筒天板６の上面中央には周囲に開口６ｂを残しながら上面板２ｃと係合する固定板６ｃを形成し、該固定板６ｃには外縁から上面板２ｃの周囲を囲むように下方に向けて複数個のガイド６ｄを形成し、該ガイド６ｄが上面板２ｃの外縁に当接して芯内筒天板６を位置決めし、芯内筒２と芯内筒天板６とは上面板２ｃと固定板６ｃの中央でネジ止めして固定したものである。
【０００９】
また、前記芯内筒２と芯内筒天板６は芯内筒天板６の取り付け時に受部６ａが芯内筒２の段部２ａに接触し、固定板６ｂが上面板２ｃに接触しない位置関係にあり、固定板６ｃはネジ止め時に上面板２ｃに密着するものとしたから、芯内筒天板６が傾くことなく確実に固定できる。
【００１０】
更に、前記上面板２ｃは芯内筒２の上面よりも低い位置もしくは高い位置に形成し、固定板６ｃは芯内筒天板６の上面よりも低い位置もしくは高い位置に形成したから、芯内筒２と芯内筒天板６に形成した開口２ｂ・６ｂの開口面積を確保することができ、燃焼の安定性を変えることなく使用できる。
【００１１】
【作用】
この発明では、芯内筒２の上面中央には上面板２ｃを形成し、芯内筒天板６の上面中央には固定板６ｃと固定板６ｃの外縁から下方に向けたガイド６ｄを形成したもので、芯内筒天板６を芯内筒２に取り付ける時は、芯内筒２の上面板２ｃに芯内筒天板６の固定板６ｃを重ねれば、ガイド６ｄが上面板２ｃの外縁に当接して、芯内筒天板６を芯内筒２の中心に位置決めすることができる。
【００１２】
そして、上面板２ｃと固定板６ｃの中央でネジ止めして固定するものであり、この時、芯内筒天板６はガイド６ｄで位置決めされているから、芯内筒２の中心から外れることなく芯内筒２に取り付けることができ、上面板２ｃと固定板６ｃの中央のみでネジ止めすることで芯内筒天板６の周囲にほぼ均一に力がかかり、芯内筒天板６は傾くことなく取り付けることができた。
【００１３】
また、芯内筒天板６を芯内筒２に載せると、最初に受部６ａが段部２ａに接触し、固定板６ｃは上面板２ｃから少し浮いた状態になっており、ネジ止めによって上面板２ｃと固定板６ｃを固定するようにすれば、受部６ａが段部２ａに押し付けられ、芯内筒天板６へ均一に力がかかりやすくなり、芯内筒天板６が傾くことなく芯内筒２に取り付けることができるものである。
【００１４】
更に、上面板２ｃと固定板６ｃは芯内筒２の上面と芯内筒天板６の上面よりも低いもしくは高い位置に形成することで、芯内筒２、芯内筒天板６に形成した開口２ｂ・６ｂの開口面積を確保できるので、芯内筒２と芯内筒天板６の中央に上面板２ｃと固定板６ｃが設けてあっても、燃焼筒Ａに供給される空気が減少することはなく、安定した燃焼ができるものである。
【００１５】
【実施例】
図に示す実施例においてこの発明を説明すると、１は油タンク、１ａは油タンクの底板、１ｂは油タンク１の上面板、２は底板１ａから連続して立設した芯内筒、３は上面板１ｂから連続して立設した芯外筒、４は芯内筒２と芯外筒３とで構成する芯収容筒、５は芯内筒２と芯外筒３の間隙に取り付けた芯であり、芯５は図示しない芯上下装置によって芯収容筒４内を上下動する。
【００１６】
２ａは芯内筒２の上部の直径を下部よりも細くする段部、６は段部２ａによって細くなった芯内筒２の上面に取り付けた芯内筒天板、６ａは芯内筒天板６から連続する芯内筒２の段部２ａに沿った受部、７は内炎筒、８は外炎筒、９は外筒であり、内炎筒７と外炎筒８と外筒９で燃焼筒Ａを構成しており、燃焼筒Ａは受部６ａに載置されている。
【００１７】
２ｂ・６ｂは芯内筒２・芯内筒天板６の上面に形成した開口であり、芯５を芯収容筒４の上部に突出させて点火すると、芯５の下端で吸い上げられた燃料が内炎筒７と外炎筒８の間隙で気化し、芯内筒２の内部を上昇して開口２ｂ・６ｂから内炎筒７内に流入する空気と、外筒９の外部から外炎筒８と外筒９の間隙へ流入する空気とが、内炎筒７と外炎筒８の間隙に供給されて燃焼筒Ａ内で燃焼を行う。
【００１８】
燃焼筒Ａ内で燃焼が行われた時に燃焼筒Ａの熱が直接芯内筒２に伝わると、芯内筒２の表面や芯５が高温になり、燃料の気化が促進されて多量の灯油蒸気が発生し、立炎して燃焼状態を悪化させたり、消火時に芯５の先端の炎が消えにくくなって消火時間が長くなることがあるが、芯内筒天板６によって燃焼筒Ａの熱が芯内筒２に直接伝わらないようにして芯内筒２や芯５の温度上昇を防ぐことができる。
【００１９】
ところで、従来の芯内筒天板６の取り付け構造として、芯内筒天板６から下方に向けてツメを複数箇所形成し、このツメを芯内筒２の開口２ｂの内縁部分に向けて折り曲げることによってカシメ固定する方法がある。
【００２０】
しかし、芯内筒天板６をカシメによって固定するものは、専用の工具を使ってツメを１箇所ずつ手作業でカシメる為に作業性が悪く、カシメ強度にバラツキが生じやすいものであり、カシメ強度にバラツキが生じると芯内筒天板６が傾いたり、偏心して芯内筒２に取り付けられることがあった。また、作業者が不慣れであると的確な作業ができずに芯内筒天板６を変形させたり、カシメ強度が弱すぎて芯内筒天板６が芯内筒２から簡単に外れるといった不具合を発生させる恐れがある。
【００２１】
また、芯内筒２と芯内筒天板６の開口２ｂ・６ｂを設けていない部分の複数箇所でネジ止めによって固定する方法もあり、カシメによって固定するものに比べて取り付け作業は容易で、芯内筒天板６が外れる心配はないが、複数箇所でネジ止めする為、ネジ止め強度にバラツキが生じると芯内筒天板６が傾いて取り付けられてしまうものであった。
【００２２】
そして、芯内筒天板６が傾いて取り付けられると、燃焼筒Ａの下端と芯内筒天板６との間に隙間が生じ、この隙間から燃焼筒Ａに向けて過剰な空気が流入し、燃焼のバランスが崩れて燃焼状態を悪化させる原因となる。
【００２３】
また、芯内筒天板６が偏心して取り付けられると、開口６ｂと燃焼筒Ａの位置が芯内筒２の中心から外れて、芯内筒２の内部から開口２ｂ・６ｂを通過して燃焼筒Ａ内へ供給される空気に偏りが生じ、燃焼筒Ａへ均一に空気が供給できなくなり、空気量が少ない部分では不完全燃焼を起こし、空気量が多い部分では立炎して燃焼状態を悪化させるものであった。
【００２４】
この発明は上記の課題を解決するもので、２ｃは芯内筒２の上面に形成した円板状の上面板、２ｄは上面板２ｃの外縁と開口２ｂの内縁とを結ぶ支持部材であり、上面板２ｃは芯内筒２の上面に形成した開口２ｂの中央に支持部材２ｄを介して芯内筒２と一体に形成している。
【００２５】
６ｃは芯内筒天板６の上面に形成した円板状の固定板、６ｅは固定板６ｃの外縁と開口６ｂの内縁とを結ぶ支持部材であり、固定板６ｃは芯内筒天板６の上面に形成した開口６ｂの中央に支持部材６ｅを介して芯内筒天板６と一体に形成している。６ｄは固定板６ｃの外縁から下方に向けて形成した複数個のガイドであり、前記固定板６ｃは上面板２ｃとほぼ同じ外径をもち、かつ、ガイド６ｄの内縁の径は上面板２ｃの外径にほぼ一致している。
【００２６】
この構造であれば、芯内筒天板６を取り付けるときは、芯内筒天板６の固定板６の中央を芯内筒２の上面板２ｃの中央に合わせるようにして芯内筒２の上面に載せれば、ガイド６ｄの内縁が上面板２ｃの外縁に当接して、固定板６ｃが上面板２ｃの中央に位置決めされるので、芯内筒天板６を芯内筒２の中央に保持することができる。
【００２７】
１０は芯内筒２の上面板２ｃと芯内筒天板６の固定板６ｃの間に挿着する取付ネジ、１０ａは上面板２ｃと固定板６ｃの中央に１箇所形成した取付ネジ１０の取付孔であり、取付ネジ１０を取付孔１０ａに取り付けると、固定板６ｃが上面板２ｃに固着され、芯内筒天板６を芯内筒２に固定することができる。この時、芯内筒天板６はガイド６ｄによって芯内筒２の中央に位置決めされているから、ネジ止め時に芯内筒天板６が移動することはなく、芯内筒天板６を芯内筒２の中央に正確に取り付けることができる。
【００２８】
また、芯内筒天板６を１個の取付ネジ１０によって芯内筒２に固定することによって、従来のカシメによる固定や複数箇所でネジ止めした時のように取り付け強度にバラツキが生じることはなく、芯内筒天板６が傾くことなく正確に取り付けることができるものとなり、また、取り付け後はガイド６ｄによって保持され、取付ネジ１０によって確実に固定されているので、芯内筒天板６がズレたり外れることはない。
【００２９】
また、従来の構造において、製造時の寸法誤差によって芯内筒２や芯内筒天板６に僅かな傾きや歪みが生じると、芯内筒天板６を芯内筒２に正確に取り付けることができなくなり、取り付け後に修正作業が必要になり生産性が悪くなるので、芯内筒２と芯内筒天板６の寸法管理が必要であり、コスト上昇の要因となっていた。
【００３０】
このための対策として、芯内筒天板６の受部６ａから固定板６ｃまでの高さ寸法を、芯内筒２の段部２ａから上面板２ｃまでの高さ寸法よりも長くしており、芯内筒天板６を芯内筒２に載せた時には、ガイド６ｄの内縁が上面板２ｃの外縁に当接して、芯内筒天板６が芯内筒２の中央に位置決めされ、芯内筒２の段部２ａと芯内筒天板６の受部６ａが接触し、固定板６ｃが上面板２ｃから僅かに浮いた状態となるようにしている。
【００３１】
そして、この状態で取付ネジ１０を取付孔１０ａに取り付けて固定板６ｃを上面板２ｃに固着すると、固定板６ｃが上面板２ｃに密着して、芯内筒天板６の全体に下方に向けて均一に力がかかり、既に段部２ａに接触している受部６ａの全体が下方へ押し付けられるから、芯内筒天板６を芯内筒２に載せた時に、芯内筒２や芯内筒天板６の傾きや歪みによって芯内筒２と芯内筒天板６との間に隙間があっても、芯内筒天板６の固定板６ｃと芯内筒２の上面板２ｃを固着した時に修正されるので、芯内筒２と芯内筒天板６の間の隙間や芯内筒天板６の傾きを確実に防ぐことができ、芯内筒２や芯内筒天板６の寸法管理が容易になった。
【００３２】
更に、この発明では芯内筒２の開口２ｂの中央に設けた上面板２ｃを芯内筒２の上面より低い位置に形成すると共に、芯内筒天板６の開口６ｂの中央に設けた固定板６ｃを芯内筒天板６の上面より低い位置に形成したものであり、この発明の実施例を示す図３では、前記支持部材２ｄ・６ｅをそれぞれ上面板２ｃと固定板６ｃ側を下方に傾斜することで、上面板２ｃと固定板６ｃが芯内筒２と芯内筒天板６の上面よりも低い位置に形成されている。
【００３３】
このように、上面板２ｃと固定板６ｃを芯内筒２と芯内筒天板６の上面よりも低い位置に形成することによって、芯内筒２と芯内筒天板６の開口２ｂ・６ｂの開口面積を広くすることができるので、開口２ｂ・６ｂの中央に上面板２ｃと固定板６ｃが設けてあっても、燃焼筒Ａには安定した燃焼を維持するのに十分な空気量を供給することができる。
【００３４】
尚、この発明の実施例では上面板２ｃと固定板６ｃを芯内筒２の上面と芯内筒天板６の上面より低く形成することによって開口２ｂ・６ｂの開口面積を確保しているが、上面板２ｃと固定板６ｃを芯内筒２の上面と芯内筒天板６の上面より高く形成しても上記と同様の効果が得ることができる。
【００３５】
【発明の効果】
以上のように、この発明では芯内筒２の上面中央に上面板２ｃを形成し、芯内筒天板６の上面中央に固定板６ｃを形成し、固定板６ｃには上面板２ｃの外縁を囲むようにガイド６ｄを形成したものであり、ガイド６ｄの内縁と上面板２ｃの外縁が当接して、芯内筒天板６を芯内筒２の中央に容易に位置決めすることができ、芯内筒天板６と芯内筒２は上面板２ｃと固定板６ｃの中央でネジ止めして固定するものとしたから、芯内筒天板６を芯内筒２の中央に正確に取り付けることができるものとなった。
【００３６】
また、芯内筒２の上面板２ｃと芯内筒天板６の固定板６ｃの中央の１箇所でネジ止めすることによって、従来のような取り付け強度にバラツキが生じることはなく、芯内筒天板６を芯内筒２に正確に取り付けることができ、また、作業工程数が減少して作業効率が向上できるものとなった。
【００３７】
また、芯内筒天板６を芯内筒２に載せた時に、芯内筒２の段部２ａと芯内筒天板６の受部６ａが接触し、固定板６ｃと上面板２ｃは接触しない位置関係にして、ネジ止めによって固定板６ｃが上面板２ｃに密着するようにすれば、ネジ止め時に芯内筒天板６の全体に下方に均一に力がかかり、受部６ａの全体が下方に均一に押し付けられ、芯内筒２や芯内筒天板６の傾きや歪みによってできた芯内筒２と芯内筒天板６の間の隙間を無くすことができるので、芯内筒天板６を傾くことなく芯内筒２に取り付けることができ、芯内筒２や芯内筒天板６の寸法管理が容易になりコスト低減を実現できるものとなった。
【００３８】
更に、芯内筒２と芯内筒天板６の上面板２ｃと固定板６ｃを芯内筒２の上面と芯内筒天板６の上面よりも低いもしくは高い位置に形成したものでは、上面板２ｃと芯内筒２の上面の間の開口２ｂと固定板６ｃと芯内筒天板６の上面の間の開口６ｂの開口面積を確保することができたから、開口２ｂ・６ｂの中央に上面板２ｃや固定板６ｃが設けてあっても燃焼筒Ａへ供給する空気量が減少することはなく、燃焼の安定性を変えることなく実現できるものである。
【図面の簡単な説明】
【図１】この発明の実施例を示す石油燃焼器の要部断面図である。
【図２】この発明の実施例の芯内筒天板を芯内筒に取り付ける時の状態を示す要部断面図である。
【図３】この発明の実施例の芯内筒と芯内筒天板の取り付け状態を示しており、芯内筒天板の一部を切欠いた斜視図である。
【符号の説明】
Ａ    燃焼筒
１    油タンク
１ａ  底板
１ｂ  上面板
２    芯内筒
２ａ  段部
２ｂ  開口
２ｃ  上面板
３    芯外筒
４    芯収容筒
５    芯
６    芯内筒天板
６ａ  受部
６ｂ  開口
６ｃ  固定板
６ｄ  ガイド
７    内炎筒
８    外炎筒
９    外筒
【図１】
2004301443.tif 000003
【図２】
2004301443.tif 000004
【図３】
2004301443.tif 000005